(57)【特許請求の範囲】
【請求項１】
ＩＣカードを着脱可能な移動通信端末であって、
この移動通信端末を制御する端末制御部と、
前記ＩＣカードと外部装置との通信を中継し、その通信内容を前記端末制御部に伝達する中継制御部とを備え、
前記ＩＣカードは、前記中継制御部に対して、前記端末制御部に前記通信内容を伝達することを許可するか否かを決定するコマンドを送信し、
前記中継制御部は、前記ＩＣカードから受信したコマンドに基づいて、前記通信内容を前記端末制御部に伝達するか否かを決定し、
前記端末制御部は、前記中継制御部から前記通信内容が伝達された場合に、前記通信内容に基づいて、この移動通信端末に視覚的に認識可能な動作、聴覚的に認識可能な動作、感覚的に認識可能な動作のうち少なくとも１つの動作を行わせること、
を特徴とする移動通信端末。
【請求項２】
請求項１に記載の移動通信端末において、
前記中継制御部は、ＮＦＣチップであること、
を特徴とする移動通信端末。
【請求項３】
ＩＣカードを着脱可能な移動通信端末を、
この移動通信端末を制御する端末制御部と、
前記ＩＣカードと外部装置との通信を中継し、その通信内容を前記端末制御部に伝達する中継制御部として機能させ、
前記中継制御部に、前記ＩＣカードから受信した、前記端末制御部に前記通信内容を伝達することを許可するか否かを決定するコマンドに基づいて、前記通信内容を前記端末制御部に伝達するか否かを決定させ、
前記端末制御部に、前記中継制御部から前記通信内容が伝達された場合に、前記通信内容に基づいて、この移動通信端末に視覚的に認識可能な動作、聴覚的に認識可能な動作、感覚的に認識可能な動作のうち少なくとも１つの動作を行わせること、
を特徴とする移動通信端末プログラム。
【請求項４】
請求項１又は請求項２に記載の移動通信端末に着脱可能なＩＣカード。
【請求項５】
請求項１又は請求項２に記載の移動通信端末に着脱可能なＩＣカードの機能を実行するための手順を備えるＩＣカードプログラム。
【発明の詳細な説明】
【技術分野】
【０００１】
本発明は、移動通信端末とそのプログラム、及び、ＩＣカードとそのプログラムに関するものである。
【背景技術】
【０００２】
接触型ＩＣカードであるＵＩＭ（Ｕｓｅｒ  Ｉｄｅｎｔｉｔｙ  Ｍｏｄｕｌｅ）と非接触リーダライタとの通信は、ＵＩＭに非接触通信用のインターフェースがないので、直接行うことはできない。そこで、非接触（無線）通信と接触通信との両方に対応したＮＦＣ（Ｎｅａｒ  Ｆｉｅｌｄ  Ｃｏｍｍｕｎｉｃａｔｉｏｎ）チップをＵＩＭと非接触リーダライタとの通信系路上に配置することによって、ＵＩＭと非接触リーダライタとの通信が可能となる（例えば、特許文献１）。
また、ＵＩＭと携帯電話機本体との通信処理と、ＵＩＭと非接触リーダライタとの通信処理を平行して処理可能にすべく、双方の通信に関するＵＩＭの入出力系統は、互いに独立させる必要がある。これらは、既存の技術を用いて実現可能である（例えば、特許文献２）。
しかし、上記モデルでは、ＮＦＣチップを仲介したＵＩＭと非接触リーダライタとの通信に、携帯電話機の制御部は直接関与しない。例えば、以下の条件、（１）ＲＦ（Ｒａｄｉｏ  Ｆｒｅｑｕｅｎｃｙ）フィールドの検知、（２）非接触通信の開始、（３）非接触通信の終了、を満たした場合に携帯電話機のＬＥＤを点灯させるようなことはできない。
【０００３】
ＵＩＭと非接触リーダライタとの通信に基づいて、携帯電話機のＬＥＤ（発行ダイオード）を点灯させたい場合に、ＮＦＣチップのルータの機能を使って、ＵＩＭから携帯電話機の制御部に直接ＬＥＤの点灯を指示することが挙げられるが、以下の懸念点が存在する。
（１）通常のモバイル用途としてのＵＩＭの処理と、非接触通信に関わるＵＩＭの処理とが並行してしまい、処理の能率が低下する。これは、携帯電話機の制御部にＬＥＤの点灯を指示するコマンド処理が発生する分だけＵＩＭの通信処理時間が増大することに起因する。このコマンド処理は、ＵＩＭはコマンド送信、携帯電話機はコマンド受信処理がそれぞれ発生するため、接触・非接触ともに通信時間の増大を招き、通信時間の増大は、ＵＩＭのコマンド送信にも影響する。
（２）ＵＩＭ上のアプリケーションは、ＬＥＤの点灯コマンドを追加実装すると、その分だけＵＩＭのメモリを占有する。
【特許文献１】特開２００６−２４６３４３号公報
【特許文献２】特開２００３−６９６７０号公報
【発明の開示】
【発明が解決しようとする課題】
【０００４】
本発明の課題は、移動通信端末に装着されるＩＣカードの処理負担を軽減させ、移動通信端末の端末制御部に効率的に動作を行わせることができる移動通信端末とそのプログラム、及び、ＩＣカードとそのプログラムを提供することである。
【課題を解決するための手段】
【０００５】
本発明は、以下のような解決手段により、前記課題を解決する。なお、理解を容易にするために、本発明の実施形態に対応する符号を付して説明するが、これに限定されるものではない。
請求項１の発明は、ＩＣカード（２０）を着脱可能な移動通信端末（１０）であって、この移動通信端末（１０）を制御する端末制御部（１２）と、前記ＩＣカード（２０）と外部装置（３０）との通信を中継し、その通信内容を前記端末制御部（１２）に伝達する中継制御部（１１）とを備え、前記ＩＣカード（２０）は、前記中継制御部（１１）に対して、前記端末制御部（１２）に前記通信内容を伝達することを許可するか否かを決定するコマンドを送信し、前記中継制御部（１１）は、前記ＩＣカード（２０）から受信したコマンドに基づいて、前記通信内容を前記端末制御部（１２）に伝達するか否かを決定し、前記端末制御部（１２）は、前記中継制御部（１１）から前記通信内容が伝達された場合に、前記通信内容に基づいて、この移動通信端末（１０）に視覚的に認識可能な動作、聴覚的に認識可能な動作、感覚的に認識可能な動作のうち少なくとも１つの動作を行わせること、を特徴とする移動通信端末（１０）である。
請求項２の発明は、請求項１に記載の移動通信端末（１０）において、前記中継制御部（１１）は、ＮＦＣチップ（１１）であること、を特徴とする移動通信端末（１０）である。
請求項３の発明は、ＩＣカード（２０）を着脱可能な移動通信端末（１０）を、この移動通信端末（１０）を制御する端末制御部（１２）と、前記ＩＣカード（２０）と外部装置（３０）との通信を中継し、その通信内容を前記端末制御部（１２）に伝達する中継制御部（１１）として機能させ、前記中継制御部（１１）に、前記ＩＣカード（２０）から受信した、前記端末制御部（１２）に前記通信内容を伝達することを許可するか否かを決定するコマンドに基づいて、前記通信内容を前記端末制御部（１２）に伝達するか否かを決定させ、前記端末制御部（１２）に、前記中継制御部（１１）から前記通信内容が伝達された場合に、前記通信内容に基づいて、この移動通信端末（１０）に視覚的に認識可能な動作、聴覚的に認識可能な動作、感覚的に認識可能な動作のうち少なくとも１つの動作を行わせること、を特徴とする移動通信端末プログラムである。
請求項４の発明は、請求項１又は請求項２に記載の移動通信端末（１０）に着脱可能なＩＣカード（２０）である。
請求項５の発明は、請求項１又は請求項２に記載の移動通信端末（１０）に着脱可能なＩＣカード（２０）の機能を実行するための手順を備えるＩＣカードプログラムである。
【発明の効果】
【０００６】
本発明によれば、以下のような効果がある。
（１）端末制御部は、中継制御部から伝達された通信内容に基づいて、移動通信端末に視覚的に認識可能な動作、聴覚的に認識可能な動作、感覚的に認識可能な動作のうち少なくとも１つの動作を行わせるので、移動通信端末に装着されるＩＣカードは、これらの動作の制御処理を直接行う必要がなくなり、ＩＣカードの処理を軽減させることができる。
また、移動通信端末に装着されるＩＣカード（ＵＩＭなど）は、携帯電話機に対する制御コマンド送信を実装する必要がなくなるため、ＩＣカード上のメモリ占有率を軽減することができる。
（２）中継制御部は、ＩＣカードから受信したコマンドに基づいて、通信内容を端末制御部に伝達するか否かを決定するので、状況に応じて通信内容を伝達するか否かを変更することができ、処理の効率化を図ることができる。
【０００７】
（３）中継制御部は、ＮＦＣチップであるので、既存のＮＦＣチップの機能を用いて、簡単な構成で中継処理を実現することができる。
（４）通信内容を解釈し、解釈した内容に基づいて、移動通信端末に実行させるための視覚的に認識可能な動作、聴覚的に認識可能な動作、感覚的に認識可能な動作のうち少なくとも１つの動作を選択させる移動通信端末プログラムとすることで、ＩＣカードの処理負担を軽減させることができる。
【発明を実施するための最良の形態】
【０００８】
以下、図面等を参照して、本発明の実施形態について、さらに詳しく説明する。
（実施形態）
図１は、本発明による移動通信端末の実施形態を示す図である。
本実施形態の携帯電話機（移動通信端末）１０は、ＵＩＭ（ＩＣカード）２０を着脱可能な電話機であって、ＮＦＣチップ（中継制御部）１１と、モバイル端末制御部１２と、アプリケーション１３と、ＬＥＤ１４と、アンテナ１５などとを備える。
【０００９】
ＵＩＭ２０は、携帯電話会社が発行する、契約者情報を記憶した接触型ＩＣカードであり、携帯電話機１０に装着して利用者の識別に使用される。また、ＵＩＭ２０は、契約者情報以外に、電話帳などのプライベート情報や、クレジット決済用の個人識別情報を記憶している。
ＵＩＭ２０は、携帯電話機１０に電源が投入されて動作可能になると、ＮＦＣチップ１１に対して、モバイル端末制御部１２に通信内容（コマンドやレスポンス）を伝達することを許可するか否かを決定するコマンドを送信する。
また、ＵＩＭ２０は、非接触リーダライタ（外部装置）３０との通信を実現するために、ＮＦＣチップ１１と接続するとともに、通常のモバイル用途の通信に対応すべくモバイル端末制御部１２と接続している。
さらに、ＵＩＭ２０は、ＵＩＭ２０のＲＯＭ（ｒｅａｄ  ｏｎｌｙ  ｍｅｍｏｒｙ）やＥＥＰＲＯＭ（ｅｌｅｃｔｒｉｃａｌｌｙ  ｅｒａｓａｂｌｅ  ＰＲＯＭ）などに記憶されているプログラム（ＩＣカードプログラム）をＵＩＭ２０のＣＰＵが実行することによって制御される。
【００１０】
ＮＦＣチップ１１は、モバイル端末制御部１２とＵＩＭ２０とのそれぞれに接続しており、非接触リーダライタ３０と無線通信が可能である。
また、ＮＦＣチップ１１は、接触通信のインターフェースと、非接触通信のインターフェースとを備え、非接触通信から接触通信、接触通信から非接触通信へのプロトコル変換とデータ伝送を行うことによって、ＵＩＭ２０と非接触リーダライタ３０との通信を中継（ルーティング）し、その通信内容をモバイル端末制御部１２に伝達する。
さらに、ＮＦＣチップ１１は、ＵＩＭ２０から受信したコマンドに基づいて、モバイル端末制御部１２に通信内容を伝達するか否かを決定する。例えば、受信したコマンドが伝達を許可するコマンドであれば、ＮＦＣチップ１１は、ＵＩＭ２０と非接触リーダライタ３０との通信内容を、モバイル端末制御部１２に伝達する。受信したコマンドが伝達を許可しないコマンドであれば、ＵＩＭ２０と非接触リーダライタ３０との通信内容を、モバイル端末制御部１２に伝達しない。
【００１１】
ＮＦＣチップ１１は、非接触リーダライタ３０との通信は、短距離無線通信規格のＮＦＣによって行い、ＵＩＭ２０やモバイル端末制御部１２との通信は、有線によって行う。
ここで、ＮＦＣとは、１３．５６ＭＨｚの電波を使い、１０ｃｍ程度のごく近距離で１００〜４００ｋｂｐｓの双方向通信が可能な通信方式である。
【００１２】
モバイル端末制御部１２は、この携帯電話機１０を統括制御する部分であり、ＮＦＣチップ１１から伝達された通信内容に基づいて、ＬＥＤ１４の点灯（視覚的に認識可能な動作）を制御する。
また、モバイル端末制御部１２は、ＵＩＭ２０、ＬＥＤ１４、アンテナ１５にそれぞれ接続している。
【００１３】
アプリケーション１３は、モバイル端末制御部１２から、ＵＩＭ２０と非接触リーダライタ３０との通信内容を受信し、受信した通信内容を解釈し、解釈した内容に基づいて、ＬＥＤ１４の点灯の有無、点灯の色、点灯の回数などを選択し、選択した内容をモバイル端末制御部１２に送信する。
例えば、ＵＩＭ２０を使ったモバイルクレジットサービスによる決済処理であれば、携帯電話機１０をコンビニエンスストアのレジに設置してある非接触リーダライタ３０にかざして買い物の決済を行う場面が想定されるが、このような場合には、決済を開始する前の「認証処理」と、認証が終わった後の取引の「決済処理」と、決済の「終了処理」などが発生する。
そうすると、ＵＩＭ２０と非接触リーダライタ３０との通信内容としては、「認証処理」のコマンド及びこれに対するレスポンス、「決済処理」のコマンド及びこれに対するレスポンス、「終了処理」のコマンド及びこれに対するレスポンスが発生する。
ここで、アプリケーション１３では、「終了処理」のレスポンスを特定の処理と設定してある。このように設定しておけば、「終了処理」のレスポンスが、ＵＩＭ２０から非接触リーダライタ３０に送信されたときに、その通信内容がアプリケーション１３で解釈され、アプリケーション１３は、モバイル端末制御部１２にＬＥＤ１４の点灯指示を出す。
なお、アプリケーション１３は、モバイル端末制御部１２の一部でもあるが、説明の便宜上、図中では分離して図示してある。
【００１４】
モバイル端末制御部１２及びアプリケーション１３は、ＲＯＭやＥＥＰＲＯＭなどに記憶されているプログラム（移動通信端末プログラム）に基づいて実現される。
【００１５】
ＬＥＤ１４は、モバイル端末制御部１２に接続された半導体素子であり、モバイル端末制御部１２からの指示により発光する。
アンテナ１５は、モバイル端末制御部１２に接続され、基地局と無線通信を行うものであり、送話音声に関するデータやパケット通信用のデータなどを送受信する。
【００１６】
図２は、携帯電話機１０と非接触リーダライタ３０との通信の流れを説明する図である。
まず、携帯電話機１０の電源が投入されると、ＵＩＭ２０は、動作可能となり、ＵＩＭ２０と非接触リーダライタ３０との通信開始に先立って、ＵＩＭ２０と非接触リーダライタ３０との通信内容をモバイル端末制御部１２に伝達することを許可するコマンドをＮＦＣチップ１１に送信する（＃１）。
ＮＦＣチップ１１は、このコマンドを受信すると、ＵＩＭ２０と非接触リーダライタ３０との通信上で交換される通信内容をモバイル端末制御部１２に伝達することができるようになる。
ついで、ＮＦＣチップ１１を介して、ＵＩＭ２０と非接触リーダライタ３０との通信が行われる（＃２）。
このとき、ＮＦＣチップ１１は、ＵＩＭ２０と非接触リーダライタ３０との通信内容を、モバイル端末制御部１２に伝達する（＃３）。
【００１７】
そして、モバイル端末制御部１２は、ＮＦＣチップ１１から受信したＵＩＭ２０と非接触リーダライタ３０との通信内容をアプリケーション１３に伝達する（＃４）。
アプリケーション１３は、モバイル端末制御部１２から受信した通信内容を解釈し、特定の通信内容（例えば、上述した「終了処理」のレスポンス）であれば、ＬＥＤ１４の点灯指示をモバイル端末制御部１２に伝達する（＃５）。
モバイル端末制御部１２は、アプリケーション１３の指示に従ってＬＥＤ１４を点灯させる（＃６）。
ＬＥＤ１４の点灯により、携帯電話機１０の利用者は、決済処理が終了したことを確認することができる。
【００１８】
このように、本実施形態によれば、以下のような効果がある。
（１）携帯電話機１０にアプリケーション１３を搭載しているので、ＵＩＭ２０は、携帯電話機１０を制御するための特別な機能を用意する必要がなく、ＵＩＭ２０の処理負担が軽減されるとともに、ＵＩＭ２０とモバイル端末制御部１２との通信量が軽減される。
また、ＵＩＭ２０は、通常のモバイル用途としての通信処理と非接触リーダライタ３０との通信処理とを効率よく並行処理することができる。
（２）ＵＩＭ２０及びＮＦＣチップ１１は、携帯電話機１０を制御するためのアプリケーションを実装する必要がなく、メモリ消費量を軽減することができる。
【００１９】
（３）ＬＥＤ１４の点灯の制御を、通信主体であるＵＩＭ２０やＮＦＣチップ１１ではなく、携帯電話機１０上のアプリケーション１３が担うことにより、効率的に携帯電話機１０のＬＥＤ１４を点灯させることができる。
（４）通常のモバイル用途としてのＵＩＭ２０の機能を維持したまま、既存のＮＦＣチップ１１の仲介によって非接触リーダライタ３０との通信を可能にすることができる。
【００２０】
（５）ＮＦＣチップ１１は、ＵＩＭ２０から受信したコマンドに基づいて、モバイル端末制御部１２に通信内容を伝達するか否かを決定するので、状況に応じて通信内容を伝達するか否かを変更することができ、処理の効率化を図ることができる。
（６）通信内容を解釈し、解釈した内容に基づいて、移動通信端末に実行させるための視覚的に認識可能な動作、聴覚的に認識可能な動作、感覚的に認識可能な動作のうち少なくとも１つの動作を選択させるアプリケーション１３を携帯電話機１０に搭載することで、ＵＩＭ２０やＮＦＣチップ１１の処理負担を軽減させることができる。
【００２１】
（変形形態）
以上説明した実施形態に限定されることなく、種々の変形や変更が可能であって、それらも本発明の範囲内である。
（１）ＩＣカードは、ＵＩＭの例で説明したが、ＳＩＭ（Ｓｕｂｓｃｒｉｂｅｒ  Ｉｄｅｎｔｉｔｙ  Ｍｏｄｕｌｅ）であってもよい。
（２）視覚的に認識可能な動作は、ＬＥＤ１４を点灯させる動作の例で説明したが、携帯電話機のディスプレイに情報を表示させる動作であってもよい。また、視覚的に認識可能な動作ではなく、スピーカによって音を発生させる聴覚的に認識可能な動作や、バイブレーションによって振動を発生させる感覚的に認識可能な動作であってもよい。
【００２２】
（３）視覚的に認識可能な動作としてのＬＥＤ１４の点灯は、「終了処理」のレスポンス時に行う例で説明したが、その他の動作時に点灯させてもよい。例えば、ＲＦフィールドの検知、非接触通信の開始、非接触通信の終了などのタイミングで点灯させてもよい。聴覚的に認識可能な動作や、感覚的に認識可能な動作も同様である。
（４）ＵＩＭ２０は、電源投入時に、ＮＦＣチップ１１に対して通信内容を伝達することを許可するか否かを決定するコマンドを送信する例で説明したが、送信のタイミングは、非接触リーダライタ３０からの最初のコマンドを受信したときであってもよい。また、ＵＩＭ２０は、処理の途中で、ＮＦＣチップ１１に対して通信内容の伝達を許可しないコマンドを送信してもよい。このようにすれば、処理の効率化を図ることができる。
（５）アプリケーション１３は、あらかじめ携帯電話機１０に搭載されている例で説明したが、アプリケーション１３の移動通信端末プログラムを携帯電話機に配信して動作させるようにしてもよい。
【図面の簡単な説明】
【００２３】
【図１】本発明による移動通信端末の実施形態を示す図である。
【図２】携帯電話機１０と非接触リーダライタ３０との通信の流れを説明する図である。
【符号の説明】
【００２４】
１０  携帯電話機（移動通信端末）
１１  ＮＦＣチップ（中継制御部）
１２  モバイル端末制御部
１３  アプリケーション
１４  ＬＥＤ
１５  アンテナ
２０  ＵＩＭ（ＩＣカード）
３０  非接触リーダライタ（外部装置）
【図１】
0004973414.tif 000002
【図２】
0004973414.tif 000003